(57)【要約】【課題】弾性ボールの弾みを利用して投げ入れ競い合うという面白味のある投擲遊戯具を提供する。【解決手段】開放面積の異なる複数のバスケット３ａ，３ｂ，３ｃを開放面積の小さい順にポール２の上方から下方に順次取り付けて成る遊戯具本体１と、遊戯具本体に相対する複数の遊戯者Ｐ１，Ｐ２，Ｐ３，Ｐ４によって床面・地面でバウンドし、その弾みでバスケット３ａ，３ｂ，３ｃ内に投げ入れる弾性ボール４とを備える。遊戯具本体１は、ポール２およびバスケット３ａ，３ｂ，３ｃの代替として、開放した径の異なる透明な複数のビニール傘を使用する。弾性ボール４は、各遊戯者Ｐ１，Ｐ２，Ｐ３，Ｐ４毎に異色のものを使用し、遊戯具本体１と各遊戯者Ｐ１，Ｐ２，Ｐ３，Ｐ４との間には、弾性ボール４を弾ませる反発用プレート５を敷設する。【選択図】図１
0003153596.tif 000002
【実用新案登録請求の範囲】
【請求項１】
開放面積の異なる複数のバスケットを開放面積の小さい順にポールの上方から下方に順次取り付けて成る遊戯具本体と、遊戯具本体に相対する複数の遊戯者によって床面・地面でバウンドさせてその弾みでバスケット内に投げ入れられる弾性ボールとを備えたことを特徴とする投擲遊戯具。
【請求項２】
遊戯具本体は、ポールおよびバスケットの代替として、開放した径の異なる透明な複数のビニール傘を使用した請求項１記載の投擲遊戯具。
【請求項３】
弾性ボールは、各遊戯者毎に異色のものが使用される請求項１または２記載の投擲遊戯具。
【請求項４】
遊戯具本体と各遊戯者との間には、弾性ボールを弾ませる反発用プレートを敷設した請求項１乃至３のいずれか記載の投擲遊戯具。
【考案の詳細な説明】
【技術分野】
【０００１】
本考案は、弾性ボールを例えば１バウンドさせ、その弾みでバスケット内に弾性ボールを投げ入れることで競い合う投擲遊戯具に関する。
【背景技術】
【０００２】
従来、この種の投擲遊戯具としては、例えば運動会やゲーム等で採用される玉入れ競争等が挙げられる。これは１本のポール上に取り付けられたバスケットに向かって玉を投げ込み競い合うものである。
【先行技術文献】
【特許文献】
【０００３】
【特許文献１】特になし
【考案の概要】
【考案が解決しようとする課題】
【０００４】
しかしながら、従来においては、１本のポール上に取り付けられたバスケットに向かって単に玉を投げ込むだけなので、面白味に欠けるという問題点を有していた。
【０００５】
そこで、本考案は叙上のような従来存した諸事情に鑑み創案されたもので、弾性ボールの弾みを利用して投げ入れ競い合うようにし、しかもその弾みを利用するときの弾み方向・弾み力その他に手加減を加えるようにすることで、またそれらがランダムになることで一層の面白味が得られるようにした投擲遊戯具を提供することを目的とする。
【課題を解決するための手段】
【０００６】
上述した課題を解決するために、本考案にあっては、開放面積の異なる複数のバスケット３ａ，３ｂ，３ｃを開放面積の小さい順にポール２の上方から下方に順次取り付けて成る遊戯具本体１と、遊戯具本体１に相対する複数の遊戯者Ｐ１，Ｐ２，Ｐ３，Ｐ４によって床面・地面でバウンドさせてその弾みでバスケット３ａ，３ｂ，３ｃ内に投げ入れられる弾性ボール４とを備えたものである。
遊戯具本体１は、ポール２およびバスケット３ａ，３ｂ，３ｃの代替として、開放した径の異なる透明な複数のビニール傘１１ａ，１１ｂを使用したものとできる。
弾性ボール４は、各遊戯者Ｐ１，Ｐ２，Ｐ３，Ｐ４毎に異色のものが使用されるものとでき、さらに遊戯具本体１と各遊戯者Ｐ１，Ｐ２，Ｐ３，Ｐ４との間には、弾性ボール４を弾ませる反発用プレート５を敷設したものとできる。
【０００７】
以上のように構成された本考案に係る投擲遊戯具にあって、各遊戯者Ｐ１，Ｐ２，Ｐ３，Ｐ４は、互いに異色の弾性ボール４をいったん床面・地面または反発用プレート５上にバウンドさせてからその弾みで遊戯具本体１のバスケット３ａ，３ｂ，３ｃ・ビニール傘１１ａ，１１ｂ内に投げ入れさせる。
このとき、上方の開放面積の小さなバスケット３ａまたは開放した径の小さなビニール傘１１ａ内に弾性ボール４が入れば高得点で、下方の開放面積の大きなバスケット３ｃまたは開放した径の大きなビニール傘１１ｂ内に弾性ボール４が入れば小得点とすることで、各遊戯者Ｐ１，Ｐ２，Ｐ３，Ｐ４はお互いに入れた弾性ボール４のバスケット３ａ，３ｂ，３ｃまたはビニール傘１１ａ，１１ｂによる得点と、当該バスケット３ａ，３ｂ，３ｃまたはビニール傘１１ａ，１１ｂに入れた弾性ボール４の個数との積算によって得点を獲得させる。
【考案の効果】
【０００８】
本考案によれば、弾性ボール４の弾みを利用して投げ入れ競い合うという面白味のある投擲遊戯具を提供することができ、また、その際、弾性ボール４の弾み方向、弾みの強弱その他を遊戯者Ｐ１，Ｐ２，Ｐ３，Ｐ４それぞれが手加減し、工夫することで、さらには、遊戯者Ｐ１，Ｐ２，Ｐ３，Ｐ４によっては、弾ませる位置を遠近にしたり、弾ませる位置で設定される弾みの大小を異ならしめたり等によるハンディを与えることで、一層の面白さ、ゲームの奥深さを楽しむことができる。
【０００９】
すなわち、これは本考案が、開放面積の異なる複数のバスケット３ａ，３ｂ，３ｃを開放面積の小さい順にポール２の上方から下方に順次取り付けて成る遊戯具本体１と、遊戯具本体１に相対する各遊戯者Ｐ１，Ｐ２，Ｐ３，Ｐ４によって床面・地面でバウンドさせてその弾みでバスケット３ａ，３ｂ，３ｃ内に投げ入れられる弾性ボール４とを備えたからである。
【００１０】
遊戯具本体１は、ポール２およびバスケット３ａ，３ｂ，３ｃの代替として、開放した径の異なる透明な複数のビニール傘１１ａ，１１ｂを使用したので、遊戯具本体１を既存のビニール傘１１ａ，１１ｂを使って容易且つ安価に作製することができる。しかも、ビニール傘１１ａ，１１ｂ自体は透明であるから、投げ込まれた弾性ボール４の個数、および得点が一目瞭然となる。
【００１１】
弾性ボール４は、各遊戯者Ｐ１，Ｐ２，Ｐ３，Ｐ４毎に異色のものが使用されるので、各遊戯者Ｐ１，Ｐ２，Ｐ３，Ｐ４の投げ入れ個数による得点が色の違いによって容易に知ることができる。
【００１２】
遊戯具本体１と各遊戯者Ｐ１，Ｐ２，Ｐ３，Ｐ４との間には、弾性ボール４を弾ませる反発用プレート５を敷設したので、床面・地面の柔らかい場所、例えば室内マットの上や、屋外芝生の上等であっても容易に競技を行うことができ、また、バウンドさせることで思わぬ方向に弾むこともあり、興趣性を一層増大させることができる。
【００１３】
尚、上記の課題を解決するための手段、考案の効果の項それぞれにおいて付記した符号は、図面中に記載した構成各部を示す部分との参照を容易にするために付したもので、図面中の符号によって示された構造・形状に本考案が限定されるものではない。
【図面の簡単な説明】
【００１４】
【図１】本考案を実施するための一形態を示す競技状態の斜視図である。
【図２】投擲遊戯具としてビニール傘を利用した場合の一例を示す競技状態の斜視図である。
【図３】同じくビニール傘を利用した投擲遊戯具の構成を示す縦断面図である。
【考案を実施するための形態】
【００１５】
以下、図面を参照して本考案の実施の形態を詳細に説明すると、図において示される符号１は、弾性ボール４の弾みを利用して投げ入れ競い合う遊戯具本体である。該遊戯具本体１は、図１に示すように、ポール２の上方に開放面積の小さいバスケット３ａを取り付け、ポール２の中間に開放面積の大きなバスケット３ｂを取り付け、ポール２の下方に開放面積のさらに大きなバスケット３ｃを取り付ける等、互いに開放面積の大きさの異なる上中下３段のバスケット３ａ，３ｂ，３ｃによって構成されている。このとき、バスケット３ａ，３ｂ，３ｃは、ネット状の袋体によって形成され、袋体の開口部側に設けられたＵ字形帯状の吊り紐７によって、ポール２に形成されているフック部８に引っ掛けられている。
【００１６】
尚、本考案はバスケット３ａ，３ｂ，３ｃの個数および配置、遊戯者Ｐ１，Ｐ２，Ｐ３，Ｐ４の人数によって何等限定されるものではなく、例えば大中小の３つのバスケット３ａ，３ｂ，３ｃ以外にさらに開放面積のサイズの異なる複数のバスケットをポール２に取り付けたり、さらにはバスケット３ａ，３ｂ，３ｃをポール２に沿って左右互い違いに取り付けたり、遊戯者Ｐ１，Ｐ２，Ｐ３，Ｐ４の人数を２〜３人あるいは５人以上としたりする等の種々の遊戯形態によるものとしても良いことは勿論である。
【００１７】
一方、該遊戯具本体１とは別に、バスケット３ａ，３ｂ，３ｃそれぞれに、遊戯者Ｐ１，Ｐ２，Ｐ３，Ｐ４によって床面・地面で少なくとも１バウンドさせて投げ入れられる弾性ボール４が用意される。該弾性ボール４は、弾み性が大きい軟弾性の球形状を呈する合成樹脂製にて形成されており、場合によっては複数回のバウンドによって投げ入れるようにしても良い。
【００１８】
遊戯具本体１は三脚６によって立脚状に支持設置され、当該遊戯具本体１を囲繞するように、これの周囲には、複数例えば４人の遊戯者Ｐ１，Ｐ２，Ｐ３，Ｐ４が例えば椅子Ｑ等に座った状態で配置される。また、床面・地面が硬くない場合は、例えば４０ｃｍ四方の例えばタイル等の硬質な反発用プレート５を、遊戯具本体１と周囲の各遊戯者Ｐ１，Ｐ２，Ｐ３，Ｐ４との間に置いて弾性ボール４を弾み易くする。
【００１９】
このとき、遊戯具本体１を中心としてその周囲に各遊戯者Ｐ１，Ｐ２，Ｐ３，Ｐ４が配置されるものとする他に、各遊戯者Ｐ１，Ｐ２，Ｐ３，Ｐ４が遊戯具本体１に対して横１列に並んだ状態で配置されたり、各遊戯者Ｐ１，Ｐ２，Ｐ３，Ｐ４が遊戯具本体１から互いに等距離となった円弧状に沿って並んだ状態で配置されたり、各遊戯者Ｐ１，Ｐ２，Ｐ３，Ｐ４が遊戯具本体１の周囲で遠近が異なるようにアットランダムに配置されたり等しても良い。尚、このような各遊戯者Ｐ１，Ｐ２，Ｐ３，Ｐ４の配置の仕方および人数は、本考案を何等拘束するものではない。
【００２０】
競技に際し、遊戯者Ｐ１は、例えば赤色の弾性ボール４を例えば１０個所持し、遊戯者Ｐ２は、例えば黄色の弾性ボール４を例えば１０個所持し、遊戯者Ｐ３は、例えば緑色の弾性ボール４を例えば１０個所持し、遊戯者Ｐ４は、例えば青色の弾性ボール４を例えば１０個所持する。そして、各遊戯者Ｐ１，Ｐ２，Ｐ３，Ｐ４は弾性ボール４を、床面・地面に設置してある例えばタイル等の反発用プレート５に例えば１バウンドさせ、その弾みによってバスケット３ａ，３ｂ，３ｃに入れるものとしている。尚、弾性ボール４の所持個数は１０個に限らず、各遊戯者Ｐ１，Ｐ２，Ｐ３，Ｐ４の所持する弾性ボール４が全て同じ個数であれば任意であることは勿論である。
【００２１】
このとき、上方にある開放面積の小さなバスケット３ａに弾性ボール４が入れば高得点で、中間にある開放面積の大きなバスケット３ｂに弾性ボール４が入れば中得点、下方にある開放面積のさらに大きなバスケット３ｃに弾性ボール４が入れば小得点とする。こうして各遊戯者Ｐ１，Ｐ２，Ｐ３，Ｐ４がお互いに入れた弾性ボール４のバスケット３ａ，３ｂ，３ｃによる得点と、当該バスケット３ａ，３ｂ，３ｃに入れた弾性ボール４の個数との積算により得点を競い合うのである。
【００２２】
また、図２および図３には遊戯具本体１の他例が示されている。本例では、上記したポール２および３つのバスケット３ａ，３ｂ，３ｃの代替として、開放された径の互いに異なる透明な複数のビニール傘１１ａ，１１ｂを使用している。
【００２３】
すなわち、遊戯具本体１は、図２に示すように、開放された径の大きなビニール傘１１ｂを倒立状態にして設置し、その上に、開放された径の小さなビニール傘１１ａを倒立状態にして連結することで上下２段となって構成される。尚、本考案はビニール傘１１ａ，１１ｂの個数および配置、遊戯者Ｐ１，Ｐ２，Ｐ３，Ｐ４の人数によって何等限定されるものではない。
【００２４】
具体的には、図３に示すように、ビニール傘１１ｂ、ビニール傘１１ａそれぞれの各ランナー１２ａ，１２ｂを所謂下はじきと称する下側フック部１３ａ，１３ｂから解放しシャフト１４ａ，１４ｂに沿って上方へスライドさせ、ストレッチャー１５ａ，１５ｂを介してリブ１６ａ，１６ｂを開放させ、各ランナー１２ａ，１２ｂを所謂上はじきと称する上側フック部１７ａ，１７ｂに係止させることで、各ビニール傘１１ａ，１１ｂを開いた状態にする。尚、図中の符号１９ａはビニール傘１１ａのシャフト１４ａ端部のハンドル部である。
【００２５】
そして、開放された径の大きなビニール傘１１ｂを倒立させて当該ビニール傘１１ｂのトップ部１８ｂを、床面・地面に設置した三脚２０の上部にある差込孔２０ａに差し込む。また、ビニール傘１１ｂのシャフト１４ｂ端部のハンドル部１９ｂ端面には差込孔２１が形成されており、該差込孔２１に、倒立させたビニール傘１１ａのトップ部１８ａを差し込む。こうして、上下２段となった遊戯具本体１が容易に形成されるのである。尚、床面・地面が硬くない場合は、例えば４０ｃｍ四方の例えばタイル等の反発用プレート５を置いて弾性ボール４を弾み易くしている。
【００２６】
次に、以上のように構成された形態についての使用の一例について説明すると、図１または図２に示すように、例えば４人の遊戯者Ｐ１，Ｐ２，Ｐ３，Ｐ４が、遊戯具本体１の四方に設置してある椅子Ｑに座り、遊戯者Ｐ１は、例えば赤色の弾性ボール４を複数個所持し、遊戯者Ｐ２は、例えば黄色の弾性ボール４を複数個所持し、遊戯者Ｐ３は、例えば緑色の弾性ボール４を複数個所持し、遊戯者Ｐ４は、例えば青色の弾性ボール４を複数個所持する。そして、各遊戯者Ｐ１，Ｐ２，Ｐ３，Ｐ４は、弾性ボール４をいったん床面・地面または反発用プレート５上で例えば１バウンドさせてから、その弾みで遊戯具本体１のバスケット３ａ，３ｂ，３ｃ内、またはビニール傘１１ａ，１１ｂ内に入れる。
【００２７】
このとき、遊戯具本体１が上中下３段のバスケット３ａ，３ｂ，３ｃによって構成されている場合には、ポール２の上方にある開放面積の小さなバスケット３ａに弾性ボール４が入れば例えば６０点という高得点が得られ、ポール２の中間にある開放面積の大きなバスケット３ｂに弾性ボール４が入れば例えば３０点という中得点が得られ、ポール２の下方にある開放面積のさらに大きなバスケット３ｃに弾性ボール４が入れば例えば１０点という小得点が得られる。
【００２８】
また、遊戯具本体１が上下２段のビニール傘１１ａ，１１ｂによって構成されている場合には、上方にある開放された径の小さなビニール傘１１ａ内に弾性ボール４が入れば例えば７０点という高得点が得られ、下方にある開放された径の大きなビニール傘１１ｂ内に弾性ボール４が入れば例えば３０点という小得点が得られる。
【００２９】
こうして各遊戯者Ｐ１，Ｐ２，Ｐ３，Ｐ４がお互いに入れた弾性ボール４のバスケット３ａ，３ｂ，３ｃによる得点と、当該バスケット３ａ，３ｂ，３ｃに入れた弾性ボール４の個数との積算により得点を競い合うのである。
【００３０】
尚、以上の実施の形態において、遊戯具本体１は、開放面積の異なる複数のバスケット３ａ，３ｂ，３ｃを開放面積の小さい順にポール２の上方から下方に順次取り付けて成るものとしてあるが、バスケット３ａ……の開放面積が同一のものであったり、開放面積が大きい順にポール２の上方から下方に順次に取り付けられるものであったり、上下配置のバスケットが３ａ……の開放面積がそれぞれで大小があるように異なるものであったり、バスケット３ａ……が１個のものであったりすることも可能である。更には、バスケット３ａ……それぞれの開口部に、邪魔板の如き弾性ボール４を弾かせるようなプレート材、棒材等を配することも可能である。
【符号の説明】
【００３１】
Ｐ１，Ｐ２，Ｐ３，Ｐ４…遊戯者          Ｑ…椅子
１…遊戯具本体                          ２…ポール
３ａ，３ｂ，３ｃ…バスケット            ４…弾性ボール
５…反発用プレート                      ６…三脚
７…吊り紐                              ８…フック部
１１ａ，１１ｂ…ビニール傘              １２ａ，１２ｂ…ランナー
１３ａ，１３ｂ…下側フック部            １４ａ，１４ｂ…シャフト
１５ａ，１５ｂ…ストレッチャー          １６ａ，１６ｂ…リブ
１７ａ，１７ｂ…上側フック部            １８ａ，１８ｂ…トップ部
１９ａ，１９ｂ…ハンドル部              ２０…三脚
２０ａ…差込孔                          ２１…差込孔
【図１】
0003153596.tif 000003
【図２】
0003153596.tif 000004
【図３】
0003153596.tif 000005